(57)【要約】光伝送装置は、同期光伝送網におけるパスの導通確認を行うためのパストレース機能を有する光伝送装置であって；パストレースデータに包含されている第１の特定コードの検出に応じて、従前規格のパストレースフォーマットを判定する第１の判定手段と；パストレースデータに包含されている第２の特定コードの検出に応じて、新たな規格のパストレースフォーマットを判定する第２の判定手段とを備える。この光伝送装置は、前記パストレースデータに前記第２の特定コードとともに包含されている第３の特定コードの内容に応じて、複数の前記新たな規格のパストレースフォーマットの内の１つを特定する第３の判定手段を更に備える。
2004066529.tif 000002
【特許請求の範囲】
【請求項１】
同期光伝送網におけるパスの導通確認を行うためのパストレース機能を有する光伝送装置であって；
パストレースデータに包含されている第１の特定コードの検出に応じて、従前規格のパストレースフォーマットを判定する第１の判定手段と；
パストレースデータに包含されている第２の特定コードの検出に応じて、新たな規格のパストレースフォーマットを判定する第２の判定手段と；
を備える光伝送装置。
【請求項２】
前記パストレースデータに前記第２の特定コードとともに包含されている第３の特定コードの内容に応じて、複数の前記新たな規格のパストレースフォーマットの内の１つを特定する第３の判定手段を更に備える
請求項１記載の光伝送装置。
【請求項３】
前記第１の判定手段により前記第１の特定コードが検出されないとき、前記第２の判定手段は前記第２の特定コードを検出する
請求項１記載の光伝送装置。
【請求項４】
前記第１の判定手段により前記第１の特定コードが検出されないとき、前記第２の判定手段は前記第２の特定コードを検出し；
前記第２の判定手段により前記第２の特定コードが検出されたとき、前記第３の判定手段は前記第３の特定コードを検出する
請求項２記載の光伝送装置。
【請求項５】
前記第１の特定コードはキャリッジリターンコードであり；
前記第２の特定コードはフレームスタートマーカである
請求項１記載の光伝送装置。
【請求項６】
前記第１の特定コードはキャリッジリターンコードであり；
前記第２の特定コードはフレームスタートマーカであり；
前記第３の特定コードは前のフレームの１６バイト分または６４バイト分の前記パストレースデータの巡回冗長検査の演算結果である
請求項２記載の光伝送装置。
【請求項７】
前記従前規格のパストレースフォーマットにおける前記パストレースデータは、６２バイト分の印字または表示可能なＡＳＣＩＩキャラクタコードで表現されるパストレースメッセージと、１バイト分の前記キャリッジリターンコードと、１バイト分のラインフィードコードとの６４バイト構成であり；
前記新たな規格のパストレースフォーマットにおける前記パストレースデータは、前記第２の特定コードを含む１バイト分のヘッダバイトと、１５バイト分の印字または表示可能なＡＳＣＩＩキャラクタコードで表現されるパストレースメッセージとの１６バイト構成、または前記第２の特定コードを含む１バイト分のヘッダバイトと、６３バイト分の印字または表示可能なＡＳＣＩＩキャラクタコードで表現されるパストレースメッセージとの６４バイト構成である
請求項５記載の光伝送装置。
【請求項８】
前記従前規格のパストレースフォーマットにおける前記パストレースデータは、６２バイト分の印字または表示可能なＡＳＣＩＩキャラクタコードで表現されるパストレースメッセージと、１バイト分の前記キャリッジリターンコードと、１バイト分のラインフィードコードとの６４バイト構成であり；
前記新たな規格のパストレースフォーマットにおける前記パストレースデータは、前記第２の特定コード及び前記第３の特定コードを含む１バイト分のヘッダバイトと、１５バイト分の印字または表示可能なＡＳＣＩＩキャラクタコードで表現されるパストレースメッセージとの１６バイト構成、または前記第２の特定コード及び前記第３の特定コードを含む１バイト分のヘッダバイトと、６３バイト分の印字または表示可能なＡＳＣＩＩキャラクタコードで表現されるパストレースメッセージとの６４バイト構成である
請求項６記載の光伝送装置。
【請求項９】
前記従前規格のパストレースフォーマット及び前記新たな規格のパストレースフォーマットの前記パストレースデータを保持可能な保持手段を更に備える
請求項１または２記載の光伝送装置。
【請求項１０】
前記第２の判定手段及び前記保持手段は、前記従前規格のパストレースフォーマット及び前記新たな規格のパストレースフォーマットの前記パストレースデータを処理するために共用される
請求項９記載の光伝送装置。
【請求項１１】
前記第３の判定手段は、前記従前規格のパストレースフォーマット及び前記新たな規格のパストレースフォーマットの前記パストレースデータを処理するために共用される
請求項１０記載の光伝送装置。
【請求項１２】
複数回数の検出結果に応じて前記パストレースフォーマットの正常受信を判定する保護段数機能手段を更に備える
請求項１または２記載の光伝送装置。
【請求項１３】
前記保護段数機能手段から受信した前記パストレースメッセージと、保守者端末から予め設定され期待値として保持されている前記パストレースメッセージとを比較する比較手段を更に備える
請求項１２記載の光伝送装置。
【請求項１４】
前記パストレースフォーマットの検出不可能状態が発生した場合、その状態発生を保守者端末に通知する手段を更に備える
請求項１または２記載の光伝送装置。
【請求項１５】
前記パスとしての双方向伝送経路構成時または中間パストレース実施時に、対向局からの前記パストレースフォーマットを自動的に判別した結果に基づき、
前記双方向伝送経路構成時には前記対向局に対して、また前記中間パストレース実施時には中間位置に存在するパストレース受信局に対して、受信可能な前記パストレースフォーマットを自動選択し、前記パストレースデータを送信する手段を更に備える
請求項１または２記載の光伝送装置。
【請求項１６】
保守者端末から設定された送信対象の前記パストレースメッセージの文字数が前記パストレースフォーマットによって取り扱える文字数を超えた場合、文字数超過状態及び送信可能な最大文字数を前記保守者端末に通知する手段を更に備える
請求項１５記載の光伝送装置。
【請求項１７】
前記パストレースフォーマットの判定結果と、ＳＯＮＥＴ／ＳＤＨフレームのＨ１バイト内のＳＳビットに基づくＳＯＮＥＴ／ＳＤＨモードとを保守端末装置に通知する手段を更に備える
請求項１または２記載の光伝送装置。
【発明の詳細な説明】
【技術分野】  本発明は同期光伝送網におけるパスの導通確認を行うためのパストレース機能を有する光伝送装置に関する。
【背景技術】  同期光伝送網の通信ノードを構成する光伝送装置においては、保守者のプロビジョニング誤設定などによるパス（伝送路における論理的経路）の誤接続を発見するために、通信ノード間での転送フレームのパスオーバヘッド（ＰＯＨ：Ｐａｔｈ  Ｏｖｅｒｈｅａｄ）に位置するＪ１バイト（先頭バイト）を利用してパストレースメッセージ（この明細書では、パストレースデータ（ＰＴＤ：Ｐａｔｈ  Ｔｒａｃｅ  Ｄａｔａ）に含まれるメッセージ）を連続的に送受信し、パスの導通確認を行うパストレース機能を持つことが要求されている。
従来のパストレース機能を有するＳＯＮＥＴ（Ｓｙｎｃｈｒｏｎｏｕｓ  Ｏｐｔｉｃａｌ  Ｎｅｔｗｏｒｋ：同期光伝送網）系光伝送装置では、ＧＲ−２５３Ｉｓｓｕｅ（Ｉｓｓ．）０２規格で提唱されているパストレースフォーマットに従い、構築したいパスを通してパストレースメッセージを送受信している。
このため、送信側光伝送装置では、パストレースフォーマットに従ってパストレースメッセージを送信する。一方、受信側光伝送装置では、送信されてきたパストレースメッセージを受信後、パストレースフォーマットに基づいてこのメッセージを抽出し、受信すべきメッセージであるか否かを判定することにより、パスが正しく構築されていることを確認する必要がある。
このＳＯＮＥＴ系光伝送装置においては、図１に示すＧＲ−２５３Ｉｓｓ．０２規格で提唱されているパストレースフォーマットでパストレースメッセージを送受信している。このパストレースフォーマットは、６２バイト（ｂｙｔｅ）分の印字または表示可能なＡＳＣＩＩ（Ａｍｅｒｉｃａｎ  Ｓｔａｎｄａｒｄ  Ｃｏｄｅ  ｆｏｒ  Ｉｎｆｏｒｍａｔｉｏｎ  Ｉｎｔｅｒｃｈａｎｇｅ）キャラクタコードで表現された任意のパストレースメッセージと、キャリッジリターン（ＣＲ（Ｃａｒｒｉａｇｅ  Ｒｅｔｕｒｎ）：０Ｄｈ）コードと、ラインフィード（ＬＦ（Ｌｉｎｅ  Ｆｅｅｄ）：０Ａｈ）コードとの６４バイト分のパストレースデータ構成となっている。この明細書では、このパストレースフォーマットのことをＳＯＮＥＴ６４バイトフォーマットと称する。
ＳＯＮＥＴ６４バイトフォーマットの検出方法については、図２に示す手法が、特開平１１−２６１５１３号公報（パストレースチェック方法及び装置：特許文献１）において提案されている。
この手法においては、まず転送フレームからパスオーバヘッド（ＰＯＨ）を抽出し、このパスオーバヘッドのＪ１バイトからパストレースデータ（ＰＴＤ）を取り出す。次に、取り出したパストレースデータからＣＲコードを検出する。このＣＲコードはＳＯＮＥＴ６４バイトフォーマットの６３バイト目に定義されていることが分かっているため、ＣＲコードが検出できれば、その２バイト後にパストレースデータの１バイト目が存在していることになり、６４バイト分を１バイト目から順に取り出すことが可能である。
ところが、ＧＲ−２５３Ｉｓｓ．０３規格において、ＡＮＳＩ（Ａｍｅｒｉｃａｎ  Ｎａｔｉｏｎａｌ  Ｓｔａｎｄａｒｄｓ  Ｉｎｓｔｉｔｕｔｅ）Ｔ１．２６９−２０００規格が発行されたことが追記された。ＡＮＳＩ  Ｔ１．２６９−２０００規格には、パストレースフォーマットのＳＯＮＥＴ／ＳＤＨ（Ｓｙｎｃｈｒｏｎｏｕｓ  Ｄｉｇｉｔａｌ  Ｈｉｅｒａｒｃｈｙ）共通化を目指した図３及び図４に示すパストレースフォーマットが提唱されている。
図３に示すパストレースフォーマットは、１バイト分のヘッダバイトと、１５バイト分のＩＴＵ−Ｔ勧告Ｔ．５０キャラクタコード、すなわち印字または表示可能なＡＳＣＩＩキャラクタコードで表現された任意のパストレースメッセージとの１６バイト分のパストレースデータ構成からなる。
このヘッダバイトにおいては、ＭＳＢ（Ｍｏｓｔ  Ｓｉｇｎｉｆｉｃａｎｔ  Ｂｉｔ）にフレームスタートマーカ（Ｆｒａｍｅ  Ｓｔａｒｔ  Ｍａｒｋｅｒ）”１”が挿入され、残りの７ビット分には前フレームの巡回冗長検査ＣＲＣ−７演算結果が挿入されている。このフォーマットはＩＴＵ−Ｔ勧告Ｇ．７０７（ＳＤＨ）におけるセクショントレース及びパストレースフォーマットそのものである。この明細書においては、これを１６バイトフレームフォーマットと称する。
また、図４に示すパストレースフォーマットは、１バイト分のヘッダバイトと、６３バイト分のＩＴＵ−Ｔ勧告Ｔ．５０キャラクタコード、すなわち印字または表示可能なＡＳＣＩＩキャラクタコードで表現された任意のパストレースメッセージとの６４バイト分のパストレースデータ構成からなる。
このヘッダバイトは、１６バイトフレームフォーマットと同じく、フレームスタートマーカと、前フレームのＣＲＣ−７演算結果とから構成されている。この明細書においては、これを６４バイトフレームフォーマットと称する。
上述したように、ＧＲ−２５３Ｉｓｓ．０３規格においてＡＮＳＩ  Ｔ１．２６９−２０００が提唱されていることから、パストレース機能を有する光伝送装置は、従前規格のパストレースフォーマットと共に、新たな規格のパストレースフォーマットをサポートする必要がある。
しかし、従来の光伝送装置では、ＳＯＮＥＴ６４バイトフォーマットを検出することを前提にしているため、１６バイトフレームフォーマット及び６４バイトフレームフォーマットを検出することができず、別途新しいフォーマットを検出する機能を追加しなければならないという問題を生じる。
単純には、それぞれのパストレースフォーマットに対応する検出回路を含む光伝送装置を構成することが想定されるが、この構成は装置（回路）規模の増大を免れないため、改善の余地がある。
また、従来の光伝送装置では、どのフォーマットでパストレースメッセージ（パストレースデータ）の送受信を行うかを自動的に判別することができないため、送信側と受信側とでどのフォーマットでパストレースメッセージの送受信を行うかを保守者の介在により、光伝送装置に予め設定しなければならないという問題などを生じる。
【特許文献１】特開平１１−２６１５１３号公報
【特許文献２】特開平１１−１２２２４１号公報
【特許文献３】特開２００２−１０１１２１号公報
【非特許文献１】ＡＮＳＩ  Ｔ１．２６９−２０００
文献名：Ｉｎｆｏｒｍａｔｉｏｎ  Ｉｎｔｅｒｃｈａｎｇｅ  Ｓｔｒｕｃｔｕｒｅ  ａｎｄ  Ｒｅｐｒｅｓｅｎｔａｔｉｏｎ  ｏｆ  Ｔｒａｃｅ  Ｍｅｓｓａｇｅ  Ｆｏｒｍａｔｓ  ｆｏｒ  ｔｈｅ  Ｎｏｒｔｈ  Ａｍｅｒｉｃａｎ  Ｔｅｌｅｃｏｍｍｕｎｉｃａｔｉｏｎｓ  Ｓｙｓｔｅｍ
発行所：Ａｌｌｉａｎｃｅ  ｆｏｒ  Ｔｅｌｅｃｏｍｍｕｎｉｃａｔｉｏｎｓ  Ｉｎｄｕｓｔｒｙ  Ｓｏｌｕｔｉｏｎｓ  Ａｍｅｒｉｃａｎ  Ｎａｔｉｏｎａｌ  Ｓｔａｎｄａｒｄｓ  Ｉｎｓｔｉｔｕｔｅ，Ｉｎｃ．
発行年月日：Ｍａｙ  １９，２０００
ＵＲＬ：ｈｔｔｐｓ：／／ｗｗｗ．ａｔｉｓ．ｏｒｇ／ａｔｉｓ／ｄｏｃｓｔｏｒｅ／ｓｅａｒｃｈｆｏｒｍ．ａｓｐ
【非特許文献２】ＧＲ−２５３  Ｉｓｓ．０３
文献名：Ｓｙｎｃｈｒｏｎｏｕｓ  Ｏｐｔｉｃａｌ  Ｎｅｔｗｏｒｋ（ＳＯＮＥＴ）Ｔｒａｎｓｐｏｒｔ  Ｓｙｓｔｅｍｓ：Ｃｏｍｍｏｎ  Ｇｅｎｅｒｉｃ  Ｃｒｉｔｅｒｉａ  ＧＲ−２５３−ＣＯＲＥ  Ｉｓｓｕｅ  ３
発行所：Ｔｅｌｃｏｒｄｉａ  Ｔｅｃｈｎｏｌｏｇｉｅｓ
発行年月：Ｓｅｐｔｅｍｂｅｒ  ２０００
ＵＲＬ：ｈｔｔｐ：／／ｔｅｌｅｃｏｍ−ｉｎｆｏ．ｔｅｌｃｏｒｄｉａ．ｃｏｍ／ｓｉｔｅ−ｃｇｉ／ｉｄｏ／ｉｎｄｅｘ．ｈｔｍｌ
【発明の開示】
本発明の課題は、従前規格のパストレースフォーマットと共に、新たな規格のパストレースフォーマットをサポートすることが可能なパストレース機能を有する光伝送装置を提供することにある。
本発明の他の課題は、構成要素の共用化による装置（回路）規模の低減を実現することが可能な光伝送装置を提供することにある。
本発明の別の課題は、保守者がパストレースフォーマットに関して何も設定することなく、本来のパストレースメッセージの一致／不一致によるパスの導通確認を行うことが可能な光伝送装置を提供することにある。
本発明の更に別の課題は、保護段数を設定することにより、パストレースデータの送受信が安定してからパストレースフォーマットの判別及びパストレースメッセージの一致／不一致判定を行える光伝送装置を提供することにある。
本発明の第１の光伝送装置は、同期光伝送網におけるパスの導通確認を行うためのパストレース機能を有する光伝送装置であって；
パストレースデータに包含されている第１の特定コードの検出に応じて、従前規格のパストレースフォーマットを判定する第１の判定手段と；
パストレースデータに包含されている第２の特定コードの検出に応じて、新たな規格のパストレースフォーマットを判定する第２の判定手段とを備える。
本発明の第２の光伝送装置は、前記パストレースデータに前記第２の特定コードとともに包含されている第３の特定コードの内容に応じて、複数の前記新たな規格のパストレースフォーマットの内の１つを特定する第３の判定手段を更に備える。
本発明の第３の光伝送装置においては、前記第１の判定手段により前記第１の特定コードが検出されないとき、前記第２の判定手段は前記第２の特定コードを検出する。
本発明の第４の光伝送装置においては、前記第１の判定手段により前記第１の特定コードが検出されないとき、前記第２の判定手段は前記第２の特定コードを検出し；
前記第２の判定手段により前記第２の特定コードが検出されたとき、前記第３の判定手段は前記第３の特定コードを検出する。
本発明の第５の光伝送装置においては、前記第１の特定コードはキャリッジリターンコードであり；
前記第２の特定コードはフレームスタートマーカである。
本発明の第６の光伝送装置においては、前記第１の特定コードはキャリッジリターンコードであり；
前記第２の特定コードはフレームスタートマーカであり；
前記第３の特定コードは前のフレームの１６バイト分または６４バイト分の前記パストレースデータの巡回冗長検査の演算結果である。
本発明の第７の光伝送装置においては、前記従前規格のパストレースフォーマットにおける前記パストレースデータは、６２バイト分の印字または表示可能なＡＳＣＩＩキャラクタコードで表現されるパストレースメッセージと、１バイト分の前記キャリッジリターンコードと、１バイト分のラインフィードコードとの６４バイト構成であり；
前記新たな規格のパストレースフォーマットにおける前記パストレースデータは、前記第２の特定コードを含む１バイト分のヘッダバイトと、１５バイト分の印字または表示可能なＡＳＣＩＩキャラクタコードで表現されるパストレースメッセージとの１６バイト構成、または前記第２の特定コードを含む１バイト分のヘッダバイトと、６３バイト分の印字または表示可能なＡＳＣＩＩキャラクタコードで表現されるパストレースメッセージとの６４バイト構成である。
本発明の第８の光伝送装置においては、前記従前規格のパストレースフォーマットにおける前記パストレースデータは、６２バイト分の印字または表示可能なＡＳＣＩＩキャラクタコードで表現されるパストレースメッセージと、１バイト分の前記キャリッジリターンコードと、１バイト分のラインフィードコードとの６４バイト構成であり；
前記新たな規格のパストレースフォーマットにおける前記パストレースデータは、前記第２の特定コード及び前記第３の特定コードを含む１バイト分のヘッダバイトと、１５バイト分の印字または表示可能なＡＳＣＩＩキャラクタコードで表現されるパストレースメッセージとの１６バイト構成、または前記第２の特定コード及び前記第３の特定コードを含む１バイト分のヘッダバイトと、６３バイト分の印字または表示可能なＡＳＣＩＩキャラクタコードで表現されるパストレースメッセージとの６４バイト構成である。
本発明の第９の光伝送装置は、前記従前規格のパストレースフォーマット及び前記新たな規格のパストレースフォーマットの前記パストレースデータを保持可能な保持手段を更に備える。
本発明の第１０の光伝送装置においては、前記第２の判定手段及び前記保持手段は、前記従前規格のパストレースフォーマット及び前記新たな規格のパストレースフォーマットの前記パストレースデータを処理するために共用される。
本発明の第１１の光伝送装置においては、前記第３の判定手段は、前記従前規格のパストレースフォーマット及び前記新たな規格のパストレースフォーマットの前記パストレースデータを処理するために共用される。
本発明の第１２の光伝送装置は、複数回数の検出結果に応じて前記パストレースフォーマットの正常受信を判定する保護段数機能手段を更に備える。
本発明の第１３の光伝送装置は、前記保護段数機能手段から受信した前記パストレースメッセージと、保守者端末から予め設定され期待値として保持されている前記パストレースメッセージとを比較する比較手段を更に備える。
本発明の第１４の光伝送装置は、前記パストレースフォーマットの検出不可能状態が発生した場合、その状態発生を保守者端末に通知する手段を更に備える。
本発明の第１５の光伝送装置は、前記パスとしての双方向伝送経路構成時または中間パストレース実施時に、対向局からの前記パストレースフォーマットを自動的に判別した結果に基づき、
前記双方向伝送経路構成時には前記対向局に対して、また前記中間パストレース実施時には中間位置に存在するパストレース受信局に対して、受信可能な前記パストレースフォーマットを自動選択し、前記パストレースデータを送信する手段を更に備える。
本発明の第１６の光伝送装置は、保守者端末から設定された送信対象の前記パストレースメッセージの文字数が前記パストレースフォーマットによって取り扱える文字数を超えた場合、文字数超過状態及び送信可能な最大文字数を前記保守者端末に通知する手段を更に備える。
本発明の第１７の光伝送装置は、前記パストレースフォーマットの判定結果と、ＳＯＮＥＴ／ＳＤＨフレームのＨ１バイト内のＳＳビットに基づくＳＯＮＥＴ／ＳＤＨモードとを保守端末装置に通知する手段を更に備える。
【図面の簡単な説明】  図１はＳＯＮＥＴ６４バイトフォーマットを示す。
図２は従来のＳＯＮＥＴ６４バイトフォーマットの検出方法を説明するための図である。
図３は１６バイトフレームフォーマットを示す。
図４は６４バイトフレームフォーマットを示す。
図５はフォーマット毎に処理機能を有することを想定した場合の光伝送装置の構成例を示す。
図６は本発明の一実施の形態の光伝送装置の構成例を示すブロック図である。
図７は各種フォーマット使用時のリング型同期光伝送網の構成例を示す。
図８は本発明の一実施の形態の光伝送装置の動作を説明するための図である。
図９は本発明の一実施の形態の光伝送装置の動作を説明するための図である。
図１０は本発明の一実施の形態の光伝送装置の動作を説明するための図である。
図１１は本発明の一実施の形態の光伝送装置の動作を説明するための図である。
【発明を実施するための最良の形態】  〔光伝送装置の機能〕
本発明の一実施の形態のパストレース機能を有する光伝送装置について、図５及び図６を参照して説明する。
〈光伝送装置の受信側構成要素〉
図６に示すパストレース機能を有する光伝送装置１０は、同期光伝送網（ＳＯＮＥＴ）における伝送路に対する受信側構成要素として、オーバヘッド終端部１１、キャリッジリターン（ＣＲ）検出部１２、フレームスタートマーカ検出部１３、ＣＲＣ演算部１４、データ保持部１５、保護段数機能部１６、比較部１７、期待値保持部１８、及び制御部１９を備えている。
ここで、オーバヘッド終端部１１、ＣＲ検出部１２、フレームスタートマーカ検出部１３、ＣＲＣ演算部１４、データ保持部１５、比較部１７、及び制御部１９は、内部バス２０を通して相互接続されている。
詳述すると、受信側構成要素としてのオーバヘッド終端部１１は、同期光伝送網における伝送路から受信した９行×２７０列のＳＴＭ−１（Ｓｙｎｃｈｒｏｎｏｕｓ  Ｔｒａｎｓｐｏｒｔ  Ｍｏｄｕｌｅ  Ｌｅｖｅｌ−１）フレーム、つまりＳＯＮＥＴ／ＳＤＨフレームのペイロードに含まれる９行×８５列の各ＶＣ−３（Ｖｉｒｔｕａｌ  Ｃｏｎｔａｉｎｅｒ−３）に基づいて、パスオーバヘッド（ＰＯＨ）を終端し、各パスオーバヘッドの先頭位置のＪ１バイトからパストレースデータ（ＰＴＤ）を抽出する。このＳＴＭ−１フレームの詳細については、上記特許文献２の図３を参照可能である。
ＣＲ検出部（ＳＯＮＥＴ６４バイトフォーマット判定部）１２は、オーバヘッド終端部１１により抽出されたパストレースデータ中のキャリッジリターン（ＣＲ）コードの有無状態に応じて、ＳＯＮＥＴ６４バイトフォーマットであるか否かを判定する。パストレースフォーマットにおけるＡＳＣＩＩキャラクタコード部には、印字または表示可能なＡＳＣＩＩキャラクタコードの入力が定義されており、制御コードが入る（格納される）ことはないので、ＣＲコードが発見できれば、ＳＯＮＥＴ６４バイトフォーマットであると判断できる。
フレームスタートマーカ検出部（１６バイトフレームフォーマット、６４バイトフレームフォーマット判定部）１３は、パストレースフォーマットにおけるフレームスタートマーカの有無状態に応じて、１６バイトフレームフォーマットもしくは６４バイトフレームフォーマットであるか否かを判定する。印字または表示可能なＡＳＣＩＩキャラクタコードのＭＳＢは”０”であり、かつＣＲコード及びラインフィード（ＬＦ）コードのＭＳＢも”０”であることから、フレームスタートマーカ（ＭＳＢ＝１）の有無により、１６バイトフレームフォーマットまたは６４バイトフレームフォーマットであると判断できる。
ＣＲＣ演算部（１６バイトフレームフォーマット／６４バイトフレームフォーマット判別部）１４は、巡回冗長検査ＣＲＣ−７演算結果と一致する範囲が１６バイトであるか６４バイトであるかを検出することにより、１６バイトフレームフォーマットと６４バイトフレームフォーマットとを判別する。つまり、受信したパストレースデータのＣＲＣ−７演算結果が次フレームのヘッダバイトに格納されていることから、１６バイト範囲での演算結果と６４バイト範囲での演算結果とを比較することにより、１６バイトフレームフォーマットと６４バイトフレームフォーマットとを判別できる。
データ保持部１５は先頭バイトから１６バイト分もしくは６４バイト分のパストレースデータを保持可能である。
保護段数機能部１６は、パストレースフォーマット受信時に、例えば連続２回受信してどちらも正しくフォーマットを検出できれば、正しくそのフォーマットを受信したと判断したり、連続５回受信して５回とも正しいフォーマットを受信できなければ、そのフォーマットが検出できないと判断したりといった、保護段数を設けてパストレースフォーマットを検出する。この保護段数機能部１６により、受信パストレースデータが安定した後、パストレースフォーマットの判別及びパストレースメッセージの一致／不一致判定が行えるので、検出結果のバタツキ（揺らぎ）を防止することができる。
期待値保持部１８は、保守者が保守者端末３０から予め設定したパストレースメッセージを制御部１９から受信して保持する。比較部１７は、保護段数機能部１６から受信したパストレースメッセージと、保守者から予め設定され期待値保持部１８で保持されているパストレースメッセージとを比較する。
制御部１９は、各部の判定結果に基づいて最終的にパストレースフォーマットがどれであるかを判定するフォーマット判定機能と、後述する各機能とを有する。
この光伝送装置１０は、これらの受信側構成要素の協働により、受信したパストレースフォーマットの種類を自動的に判別することが可能となる。
上述したような受信側構成要素を採る光伝送装置１０においては、図５に示した改善対象の光伝送装置と比較した場合、フレームスタートマーカ検出部、１６バイト／６４バイトデータ保持部、及び１６バイト範囲用／６４バイト範囲用ＣＲＣ演算部を共用化している。この共用構成を採ることにより、装置規模を小さくすることを可能としている。
つまり、フレームスタートマーカ検出部は、１６バイトフレームフォーマット及び６４バイトフレームフォーマットで全く同じ機能を有するものであるため、単純に１つで共用可能である。
１６バイト／６４バイトデータ保持部については、差異はデータサイズの違いであることから、６４バイトデータ保持部を１６バイトデータでも利用することにより、１６バイトデータ保持部の個別配設を不要としている。
１６バイト範囲用／６４バイト範囲用ＣＲＣ演算部については、差異はＣＲＣ−７演算範囲が１６バイトか６４バイトかであることから、どちらの演算範囲でも演算できるようにすることで共用化している。また、ＣＲＣ−７演算結果が１６バイト範囲で一致するのか、６４バイト範囲で一致するのかを判別することで、パストレースフォーマットが１６バイトフレームフォーマットと６４バイトフレームフォーマットとを判別することができるため、本来構成要素を共用することで必要となるはずであった１６バイトフレームフォーマットと６４バイトフレームフォーマットとの判別機能を不要にしている。
〈光伝送装置の送信側構成要素〉
また、図６に示すパストレース機能を有する光伝送装置１０は、同期光伝送網における伝送路に対する送信側構成要素として、内部バス２０を通して相互接続される上記制御部１９の他に、フォーマット設定部２１、データ設定部２２、フォーマット生成部２３、及びオーバヘッド生成部２４を備えている。
詳述すると、送信側構成要素としてのフォーマット設定部２１は、同期光伝送網における対向局（厳密には、対向通信ノード内の光伝送装置１０）から伝送路を通して送信されてきたパストレースフォーマットを自局（厳密には、自通信ノード内の光伝送装置１０）の上記受信側構成要素で自動的に判別した結果に基づき、自局から対向局に送信するためのパストレースフォーマットを選択する。
データ設定部２２は、自局の光伝送装置１０の保守者がパーソナルコンピータなどの保守者端末３０から設定した送信対象のパストレースメッセージをフォーマット設定部２１によって選択されたフォーマットにマッピング（付加）する。
フォーマット生成部２３は、データ設定部２２によってパストレースメッセージがマッピングされたフォーマットにフレームスタートマーカ及びＣＲＣ−７演算結果、またはＣＲコード及びＬＦコードを付加したパストレースデータ（図１、図３、図４参照）を生成する。
オーバヘッド生成部２４はパストレースデータをＪ１バイトに送出する。つまり、生成されたフレームフォーマットのパストレースデータは、オーバヘッド生成部２４により、各ＶＣ−３のパスオーバヘッドの先頭位置に存在するＪ１バイトに１バイトずつ挿入される。この後、パストレースデータはＳＴＭ−１フレームとして通信ノードから伝送路に送信される。
このような送信側構成要素を備える光伝送装置１０においては、後に詳述する双方向伝送経路構成時または中間パストレース（Ｉｎｔｅｒｍｅｄｉａｔｅ  Ｐａｔｈ  Ｔｒａｃｅ）実施時、対向局またはパストレース受信局（中継局）はパストレースフォーマットを受信できるため、自局受信側で自動判別したパストレースフォーマットを対向局またはパストレース受信局に対して送信することで、保守者はパストレースフォーマットの種類を意識することなく、パス導通確認を行うことが可能である。
なお、複数回数の検出を行う保護段数を設けてパストレースフォーマットを検出した結果、正しく検出できなかった場合など、保守者は保守者端末３０を通して光伝送装置１０に手動でパストレースフォーマットを設定することが可能である。
〈光伝送装置の同期光伝送網への適用例〉
図７は、図６に示す光伝送装置１０及び保守者端末３０をそれぞれ備える４個の通信ノードＡ，Ｂ，Ｃ，Ｄを伝送路（光ファイバ伝送路）ＴＬによりリング状に接続したリング型同期光伝送網において、各種パストレースフォーマットを利用してパストレースデータに含まれるパストレースメッセージの送受信を行っている例を示している。
このリング型同期光伝送網においては、通信ノード（単に、ノードと記載することもある）ＡからノードＢへはＳＯＮＥＴ６４バイトフォーマット（図１参照）を利用し、ノードＢからノードＣへは１６バイトフレームフォーマット（図３参照）を利用し、ノードＣからノードＤへは６４バイトフレームフォーマット（図４参照）を利用してパストレースメッセージの伝送を行っている。ただし、厳密には、パストレースメッセージは上記ＳＴＭ−１フレームに多重化された形態で伝送路ＴＬ上を伝送される。
ノードＡ〜Ｄにおけるパストレースメッセージの受信側では、パストレースフォーマットを自動で判別し、パストレースメッセージを抽出しており、パストレース本来の機能であるパス（伝送路ＴＬにおける論理的経路）の導通確認が、パストレースフォーマットの種類に拘わりなく行える。すなわち、上述した機能を有する光伝送装置１０をノードＡ〜Ｄに配設したリング型同期光伝送網においては、複数のパストレースフォーマットを利用してパストレースメッセージの送受信を行うことを可能としている。
このリング型同期光伝送網は、基幹網を構成することが可能である。また、ノードＡ〜Ｄは、光／電気変換及び電気／光変換機能、更には多重・多重分離機能を有する回線終端装置（ＬＴＥ：Ｌｉｎｅ  Ｔｅｒｍｉｎａｔｅ  Ｅｑｕｉｐｍｅｎｔ）などを更に備えると共に、交換機などを含むアクセス系ネットワークに接続される。
〈光伝送装置と保守者端末との連携〉
図６に示す光伝送装置１０においては、パストレースフォーマット受信時に、例えば保護段数機能部１６によって保護段数５段でパストレースフォーマットの検出を行った結果、正しく検出できなかった場合、制御部１９は、送信側（対向局）から正しいパストレースフォーマットで送信されていないと判断し、受信側（自局）の光伝送装置１０の保守者に保守者端末３０を通してパストレースフォーマット検出不可であることを通知する。これにより、保守者がパストレース処理状況を把握できるようにしている。
また、光伝送装置１０においては、対向局またはパストレース受信局（中継局）に対して送信するパストレースフォーマットを自動的に選択した際、制御部１９は、選択したフォーマットにおいて送信できるパストレースメッセージの最大許容文字数を把握する。そして、制御部１９は、保守者が保守者端末３０において送信対象のパストレースメッセージを設定する際、最大許容文字数を超過しないようにチェックする。制御部１９は、最大許容文字数を超過したことを検出した場合、保守者端末３０を通して保守者にその旨を通知すると共に、自動選択したパストレースフォーマットの最大許容文字数を併せて通知する。これにより、最大許容文字数を超過したパストレースメッセージが送信されることを防止できる。
さらに、ＳＴＭ−１フレームのセクションオーバヘッド（ＳＯＨ）における４行目（ＡＵポインタ）のＨ１バイトの５ビット目及び６ビット目に定義されているＳＳビットは、ＳＯＮＥＴでは”００”、ＳＤＨでは”０１”に設定されていることから、光伝送装置１０の制御部１９は、自局の回線終端装置（ＬＴＥ）よりＨ１バイトのＳＳビットの情報を収集し、ＳＯＮＥＴ信号であるか、ＳＤＨ信号であるかを判断する。そして、制御部１９は、受信パストレースフォーマットを判別した結果と併せて、保守者端末３０を通して保守者にそれらの情報を提示する。これにより、保守者は、自局で取り扱っているパストレースフォーマットがＳＯＮＥＴ信号からのものであるか、ＳＤＨ信号からのものであるかを把握することが可能である。
〔パストレース機能を有する光伝送装置の動作〕
次に、図６、図８及び図９を併せ参照して、本発明の一実施の形態の光伝送装置の具体的動作例について説明する。なお、この動作説明においては、特に限定を要しない場合、通信ノードとその通信ノード内に配設されている光伝送装置とを区別しない。
ここでは、図８に示すリング型同期光伝送網において、通信ノードＡは６４バイトフレームフォーマットのパストレースフォーマットの送受信が可能であるが、上述したパストレース機能を有する光伝送装置１０を配設していない。また、通信ノードＣは上述したパストレース機能を有する光伝送装置１０を配設している。パストレースメッセージとしては、通信ノードＡから通信ノードＣへは”ＡＢＣ”、かつ通信ノードＣから通信ノードＡへは”ＣＢＡ”がそれぞれ伝送される。
ノードＡの保守者は、保守者端末を通してノードＣ向けのパスに対してパストレースメッセージ”ＡＢＣ”を設定する。ノードＡはパストレースメッセージ転送のために６４バイトフレームフォーマットを採用しているので、６４バイトフレームフォーマットの２バイト目から６４バイト目のＡＳＣＩＩキャラクタコード部にパストレースメッセージを挿入し、前フレームのＣＲＣ−７演算結果をフレームスタートマーカと共に、１バイト目のヘッダバイトに挿入してパストレースフォーマットが生成される。ノードＡで生成されたパストレースフォーマットは図９に示すとおりである。
生成されたパストレースフォーマットのパストレースデータは、各ＶＣ−３のパスオーバヘッドの先頭位置に存在するＪ１バイトに１バイトずつ挿入され、ＳＴＭ−１フレームとして、ノードＡから伝送路ＴＬ１を通してノードＣ向けに送信される。
ノードＣ向けに送信されたパストレースフォーマットのパストレースデータは、ノードＣの光伝送装置１０におけるオーバヘッド終端部１１で終端され、パスオーバヘッドのＪ１バイトから１バイトずつ抽出される。抽出されたパストレースデータに、ＣＲコードが存在するか、フレームスタートマーカが存在するかをＣＲ検出部１２またはフレームスタートマーカ検出部１３により検出する。ここでは、パストレースのために６４バイトフレームフォーマットを採用しているので、フレームスタートマーカがフレームスタートマーカ検出部１３により検出される。
次に、ＣＲＣ演算部１４は、パストレースデータのＣＲＣ−７演算を行い、１６バイトで演算した結果が一致するか、６４バイトで演算した結果が一致するかを判別する。ここでは、６４バイトフレームフォーマットを採用しているので、６４バイトで演算した結果が一致する。したがって、ＣＲＣ演算部１４は６４バイトフレームフォーマットのパストレースデータを受信したことを判別して制御部１９にその旨を通知する。
データ保持部１５はＣＲＣ演算部１４から送出されたパストレースデータを取り込んで保持する。このとき、データ保持部１５はフレームスタートマーカの検出された１バイト目から６４バイト分を取り込んで保持する。
検出結果の揺らぎを防止するために保護段数機能部１６が設けられている場合、保護段数機能部１６は、パストレースフォーマット受信時に、例えば連続２回受信してどちらも正しくフォーマットを検出できれば、正しくそのフォーマットを受信したと判断する。
保護段数機能部１６により正しいフォーマット受信と判断されたとき、比較部１７は、保護段数機能部１６を通して、データ保持部１５に保持されているパストレースデータからパストレースメッセージ（ＡＳＣＩＩキャラクタコード）を取り出す。６４バイトフレームフォーマットでは、２バイト目から６４バイト目までがパストレースメッセージが格納されているエリアであるので、比較部１７はこれに対応する位置からパストレースメッセージを取り出す。
期待値保持部１８は、ノードＣの保守者が保守者端末３０を通して予め設定した受信すべきパストレースメッセージを制御部１９の指示により保持している。比較部１７は、この期待値保持部１８に保持されているパストレースメッセージと、データ保持部１５から取り出したパストレースメッセージとを比較する。この比較の結果、パストレースメッセージが一致した場合、ノードＡからノードＣへのパスは正しく構築できていることになる。
また、ノードＣで受信したパストレースフォーマットがどの種類のものであるか、またＳＳビットが何であったかを制御部１９から保守者端末３０に通知することで、保守者はパストレースフォーマットの種類（回線種別）を知ることができる。
一方、ノードＣからノードＡにパストレースメッセージを送信する場合、ノードＣの保守者は、保守者端末３０を通してノードＡ向けのパスに対してパストレースメッセージ”ＣＢＡ”を設定する。ノードＣはノードＡからパストレースメッセージ”ＡＢＣ”を既に受信しているので、ノードＡが６４バイトフレームフォーマットでパストレースメッセージを送信してきたことを上記受信側構成要素により自動的に判別している。
したがって、ノードＣにおける送信側構成要素のフォーマット設定部２１は、ノードＣの保守者が保守者端末３０を通して設定したパストレースメッセージ”ＣＢＡ”をノードＡに送信するフォーマットとして、６４バイトフレームフォーマットを自動的に選択する。
次に、データ設定部２２は６４バイトフレームフォーマットの２バイト目から６４バイト目のＡＳＣＩＩキャラクタコード部にパストレースメッセージを挿入する。また、フォーマット生成部２３は前フレームのＣＲＣ−７演算結果をフレームスタートマーカと共に１バイト目のヘッダバイトに挿入してパストレースフォーマットを生成する。
生成された６４バイトフレームフォーマットのパストレースデータは、オーバヘッド生成部２４により、各ＶＣ−３のパスオーバヘッドの先頭位置に存在するＪ１バイトに１バイトずつ挿入され、ＳＴＭ−１フレームとして、ノードＣから伝送路ＴＬ２を通してノードＡ向けに送信される。
図５に示す受信側構成要素ＲＥ１を有する光伝送装置を配設しているノードＡは、ノードＣから送信された６４バイトフレームフォーマットのパストレースデータをオーバヘッド抽出部、フレームスタートマーカ検出部、及びＣＲＣ演算部により受信し、データ保持部に保持する。比較部は、期待値保持部に保持されているノードＡの保守者が予め設定した受信すべきパストレースメッセージと、受信したパストレースメッセージとを比較し、その比較結果が一致していれば、ノードＣからノードＡへのパスが正しく構築されていることを確認できる。
次に、図８、図１０及び図１１を参照して、双方向伝送経路構成及び中間パストレース（Ｉｎｔｅｒｍｅｄｉａｔｅ  Ｐａｔｈ  Ｔｒａｃｅ）について詳述する。
この明細書では、図８に示すようにリング型同期光伝送網において、ノードＡとノードＣとの間で信号（パストレースデータ）が双方向に送受信される構成を双方向伝送経路構成（２Ｗａｙ構成）と称する。具体的には、オーバヘッド（ＳＯＨ，ＰＯＨ）の生成が行われるノードからオーバヘッドの終端を行うノードへの信号伝送を双方向（つまり、ノードＡからノードＣ、及びノードＣからノードＡ）で行っている構成のことを言う。
パストレースは、本来パスオーバヘッドを終端する装置でオーバヘッドを終端し、パストレースデータを抽出する。例えば、図８に示すリング型同期光伝送網においては、ノードＡからノードＣへのパストレースデータの伝送に関しては、ノードＣでパスオーバヘッドを終端している。また、ノードＢは伝送経路上にあるノードであり、パスオーバヘッドは終端しない。
中間パストレースは、本来パストレースデータを終端しないノードでパスオーバヘッドにあるパストレースデータを取り出してモニタしたり、パスオーバヘッドを生成しないノードからパストレースデータを挿入したりすることで、パス設定が正しく行われていることを確認するための手法である。図８に示すリング型同期光伝送網においては、ノードＢで中間パストレースを実施することになる。
例えば、図１０に示すように、リング型同期光伝送網におけるノードＡとノードＣとの間で双方向伝送経路ＴＬ１，ＴＬ２を構成しているが、パストレースデータの受信がうまくできていない場合を想定する。問題箇所を切り分けるために、図１１に示すように、ノードＢで中間パストレース機能を用いる。
ノードＡから送信されているパストレースデータをノードＢで受信したとき、パストレースメッセージ”ＡＢＣ”が受信できていれば問題はないが、何も受信できていないなど、期待するパストレースメッセージを受信していなければ、ノードＡとノードＢとの間のパスに何らかの問題があることを切り分けられる。図１１に示す例では、正常受信できていないので、ノードＡとノードＢ間のパスに何らかの問題があることになる。
また、ノードＢからノードＣへのパスにパストレースメッセージ”ＢＢＣ”を送信して、ノードＣでこのメッセージ”ＢＢＣ”を受信できていれば、ノードＢとノードＣ間のパスには問題がないことを切り分けられる。図１１に示す例では、正常受信できているので、ノードＢとノードＣ間のパスには問題がないことを切り分けられる。
同様に、ノードＣからノードＢ、及びノードＢからノードＡへのパスに対しても、ノードＢで中間パストレース機能を用いれば、ノードＢからノードＡへのパスに問題があることを切り分けることができる。
ここに例示したリング型同期光伝送網においては、ノードＡとノードＣとの間に１個のノードしか存在しないが、ノードＡとノードＣとの間の双方向伝送経路間に多数のノードが存在する場合、問題箇所の切り分けにこの中間パストレース機能が有効になる。
〔効果〕
上述したパストレース機能を有する光伝送装置によれば、ＳＯＮＥＴ６４バイトフォーマット、１６バイトフレームフォーマット及び６４バイトフレームフォーマットのいずれのパストレースフォーマットで送受信が行われているかを自動判別することができる。
また、この光伝送装置によれば、ＳＯＮＥＴ６４バイトフォーマット、１６バイトフレームフォーマット及び６４バイトフレームフォーマットのいずれのパストレースフォーマットも検出できる構成を採り、その中でパストレースデータを保持するデータ保持部、フレームスタートマーカ検出部及びＣＲＣ演算部を共用化することにより、装置（回路）規模を低減できる。
また、この光伝送装置によれば、同期光伝送網において各ノードでそれぞれ異なるパストレースフォーマットを用いても、受信側で自動的にフォーマットを判別し、パストレースデータの送受信を行うことができる。
また、この光伝送装置によれば、保護段数を設けてパストレースフォーマットの判別及びパストレースメッセージの一致／不一致判定を行うことで、パストレースデータの送受信が安定してから判別及び判定を行える。
また、この光伝送装置によれば、パストレースフォーマットを検出した結果、フォーマットが正しく送受信されていないためにパストレースフォーマットが検出できない場合に、保守者にフォーマット検出不可能状態であることを通知できる。
また、この光伝送装置によれば、双方向伝送経路構成時または中間パストレース実施時に、対向局からのパストレースフォーマットが対向局で受信できるフォーマットであるとして、受信側で判別したパストレースフォーマットを採用し、自動でパストレースデータを対向局もしくはパストレース受信局（中継局）に送信できる。
また、対向局またはパストレース受信局に送信するパストレースフォーマットを自動で選択し、パストレースメッセージを送信するが、選択されたフォーマットにより、パストレースメッセージの文字制限数が１５バイトであったり、６２バイトであったり、６３バイトであったりする。この光伝送装置によれば、自動選択したパストレースフォーマットに、保守者がパストレースメッセージを設定する際、フォーマットで許容するメッセージ文字数を超えた場合、その旨を保守者に通知し、かつ送信可能な最大文字数も併せて通知できる。
さらに、従来の北米向け光伝送装置においては、ＳＯＮＥＴ準拠の信号を前提としていた。ＡＮＳＩ  Ｔ１．２６９−２０００にもあるように、今後はＳＯＮＥＴ／ＳＤＨを共通化していく動きがあり、ＡＮＳＩ  Ｔ１．２６９−２０００をサポートすることにより、ＳＯＮＥＴ系光伝送装置から１６バイトフレームフォーマット及び６４バイトフレームフォーマットでパストレースデータが送信されてくることから、パストレースフォーマットの判別結果と、ＳＯＮＥＴ／ＳＤＨフレームのＨ１バイト内のＳＳビットの情報とを基に、ＳＯＮＥＴ／ＳＤＨモードとパストレースフォーマットの種別とを保守者に提示できる。
【産業上の利用可能性】  本発明によれば、従前規格のパストレースフォーマットと共に、新たな規格のパストレースフォーマットをサポートすることが可能なパストレース機能を有する光伝送装置を提供できる。
また、本発明によれば、構成要素の共用化による装置（回路）規模の低減を実現することが可能な光伝送装置を提供できる。これにより、光伝送装置の小型化、低消費電力化、及びコストダウン化に寄与するところが大きい。
また、本発明によれば、保守者がパストレースフォーマットに関して何も設定することなく、本来のパストレースメッセージの一致／不一致によるパスの導通確認を行うことが可能な光伝送装置を提供できる。
さらに、本発明によれば、保護段数を設定することにより、パストレースデータの送受信が安定してからパストレースフォーマットの判別及びパストレースメッセージの一致／不一致判定を行える光伝送装置を提供できる。
また、本発明によれば、今後のＳＯＮＥＴ／ＳＤＨ共通化の一助となる。
【図１】
2004066529.tif 000003
【図２】
2004066529.tif 000004
【図３】
2004066529.tif 000005
【図４】
2004066529.tif 000006
【図５】
2004066529.tif 000007
【図６】
2004066529.tif 000008
【図７】
2004066529.tif 000009
【図８】
2004066529.tif 000010
【図９】
2004066529.tif 000011
【図１０】
2004066529.tif 000012
【図１１】
2004066529.tif 000013
【国際調査報告】
2004066529.tif 000014
2004066529.tif 000015
2004066529.tif 000016
2004066529.tif 000017